(57)【要約】【課題】本発明はデジタルカメラに関し、例えば異なる撮影条件等に瞬時に対応可能であって、かつメモリ量の経済性も兼ね備える。【解決手段】複数のレリーズ釦１２Ａ、１２Ｂ、複数の撮影条件、複数の撮影レンズ、複数の記録媒体１７Ａ，１７Ｂを持ち、各レリーズ釦１２Ａ、１２Ｂに撮影条件、撮影レンズ、記録媒体１７Ａ，１７Ｂを対応づけておいて、撮影時には操作するレリーズ釦１２Ａ、１２Ｂによりそのレリーズ釦１２Ａ、１２Ｂに対応づけておいた撮影条件、撮影レンズ１０Ａ，１０Ｂで撮影を行なって、そのレリーズ釦１２Ａ、１２Ｂに対応づけておいた記録媒体１７Ａ，１７Ｂに記録する。【選択図】      図５
2004363935.tif 000002
【特許請求の範囲】
【請求項１】
撮影レンズを経由して入射する被写体像をレリーズ操作に応じて捉えることにより画像データを生成する撮影を行うデジタルカメラにおいて、
レリーズ操作を行うための複数のレリーズ釦と、
複数の撮影モードのうちの各撮影モードを各レリーズ釦に対応付けて設定する設定部と、
レリーズ操作の行われたレリーズ釦に応じた撮影モードで撮影を行う撮影制御部とを備えたことを特徴とするデジタルカメラ。
【請求項２】
前記撮影モードは、画素数が異なる複数の撮影モード、単写を行う撮影モードと連写を行う撮影モードとからなる複数の撮影モード、絞り優先で撮影を行う撮影モードとシャッタ速度優先で撮影を行う撮影モードとからなる複数の撮影モード、および画角が異なる複数の撮影モードのうちのいずれかの複数の撮影モードを含むものであることを特徴とする請求項１記載のデジタルカメラ。
【請求項３】
撮影レンズを経由して入射する被写体像をレリーズ操作に応じて捉えることにより画像データを生成する撮影を行うデジタルカメラにおいて、
このデジタルカメラは、撮影レンズと、該撮影レンズを経由して入射してきた被写体像を捉える固体撮像素子とのペアを複数ペア備えたものであり、
レリーズ操作を行うための複数のレリーズ釦と、
前記複数のペアのうちの各ペアを各レリーズ釦に対応づけて設定する設定部と、
レリーズ操作を行われたレリーズ釦に応じたペアで撮影を行う撮影制御部とを備えたことを特徴とするデジタルカメラ。
【請求項４】
撮影レンズを経由して入射する被写体像をレリーズ操作に応じて捉えることにより画像データを生成する撮影を行うデジタルカメラにおいて、
撮影により得られた画像データを保存する複数の保存領域を有する記憶部と、
レリーズ操作を行うための複数のレリーズ釦と、
前記複数の保存領域のうちの各保存領域を各レリーズ釦に対応づけて設定する設定部と、
レリーズ操作に応じて生成された画像データを、該レリーズ操作の行われたレリーズ釦に応じた保存領域に保存するデータ保存制御部とを備えたことを特徴とするデジタルカメラ。
【請求項５】
撮影レンズを経由して入射する被写体像をレリーズ操作に応じて捉えることにより画像データを生成する撮影を行うデジタルカメラにおいて、
撮影により得られた画像データを保存する記録媒体が複数枚装着される記録媒体装着部と、
前記記録媒体装着部に装着された各記録媒体を各レリーズ釦に対応づけて設定する設定部と、
レリーズ操作応じて生成された画像データを、該レリーズ操作の行われたレリーズ釦に応じた記録媒体に保存するデータ保存制御部とを備えたことを特徴とするデジタルカメラ。
【発明の詳細な説明】
【０００１】
【発明の属する技術分野】
本発明は、レリーズ操作に応じて生成した画像データを記録媒体に記録するデジタルカメラに関する。
【０００２】
【従来の技術】
近年、固体撮像素子を内蔵し、その固体撮像素子上に被写体像を結像させて電子データとしての画像を得るデジタルカメラが急速に普及しつつある。このデジタルカメラは、そのデジタルカメラにもよるが、例えば、単写か連写、絞り優先かシャッタ速度優先、普通画角か広画角、等の撮影条件を様々に変更した撮影を行なうことができるように構成されているものが多い。撮影条件を変更することのできるカメラは、従来より知られており、例えば特許文献１には、複数の画面サイズのうちいずれかを選択する画面サイズ選択手段を備え、選択した画面サイズをファインダ内に表示する技術が開示されている。
【０００３】
従来よりある被写体について自分の気に入った写真を得るために、同じ被写体について撮影条件を変更しながら複数回の撮影を行なうという撮影手法を採用して複数枚の画像を得、それら複数枚の画像の中から自分が気に入った最適な画像を選ぶことが行なわれている。この撮影手法は被写体が静止しているときは一応採用可能であるが、動いている被写体の場合、撮影モードを変更する操作をしている間に被写体が動いてしまい、ある一瞬の被写体の最適な画像を手に入れることは困難である。
【０００４】
この問題を解決するために、異なる複数の撮影条件下における撮影を一回のレリーズ操作で行なうことが考えられる。
【０００５】
例えば、これはビデオカメラの例であるが、１回のレリーズ操作に応じて、絞り値を変化させて少なくとも２枚以上の静止画を自動記録させる技術がある（例えば、特許文献２参照）。
【０００６】
また、同じく従来のビデオカメラにおいて、１回のレリーズ操作に応じて、レンズシステムの深度を変化させて少なくとも２枚以上の静止画を自動記録し、後で良好な画像のみを抽出したり、画像処理により幅広い深度のダイナミックレンジを有する再生画像を得る技術がある（例えば、特許文献３参照）。
【０００７】
【特許文献１】
特開平８−１６６６３５号公報（要約、図１）
【特許文献２】
特開平５−１１５０３４号公報（要約、図１）
【特許文献３】
特開平５−１０３２４１号公報（要約、図１）
【０００８】
【発明が解決しようとする課題】
しかしながら、特許文献２および特許文献３の技術では、１回のレリーズ操作に応じて、絞り値を変化（特許文献２）、あるいはレンズシステムの深度を変化（特許文献３）させて、２枚以上の静止画を自動記録させているが、絞り値あるいはレンズシステムの深度を変化させて撮影するごとに画像データを保存する必要があるため、不要な画像データも保存することになり、画像データを保存するメモリがすぐに一杯になってしまうという問題がある。
【０００９】
メモリを節約するために、撮影条件の異なる複数枚の画像を得て後で最適な画像を選ぶのではなく、先ず最適な撮影条件を設定して一回のレリーズ操作で最適な１枚の画像を得ることが考えられる。
【００１０】
しかしながら、最適な撮影条件は例えば被写体ごとに異なり、写そうとしている被写体に最適な撮影条件を設定操作している間に被写体が動いてしまいシャッタチャンスを逃がすこともある。
【００１１】
本発明は、上記事情に鑑み、異なる条件下での撮影に瞬時に対応することのできるデジタルカメラを提供することを目的とする。
【００１２】
【課題を解決するための手段】
上記目的を達成する本発明のデジタルカメラのうちの第１のデジタルカメラは、撮影レンズを経由して入射する被写体像をレリーズ操作に応じて捉えることにより画像データを生成する撮影を行うデジタルカメラにおいて、
レリーズ操作を行うための複数のレリーズ釦と、
複数の撮影モードのうちの各撮影モードを各レリーズ釦に対応付けて設定する設定部と、
レリーズ操作の行われたレリーズ釦に応じた撮影モードで撮影を行う撮影制御部とを備えたことを特徴とする。
【００１３】
本発明の第１のデジタルカメラでは、例えば、以下に示すような複数の撮影モードのうちのいずれかの撮影モードを複数のレリーズ釦に対応付けて設定しておき、撮影時にはいずれかのレリーズ釦の操作でレリーズ釦に応じた撮影モードで撮影を行う。これにより、ユーザは、レリーズ釦で瞬時に撮影モードを選択して撮影することができる。
【００１４】
ここで、上記第１のデジタルカメラにおいて、上記撮影モードには、画素数が異なる複数の撮影モード、単写を行う撮影モードと連写を行う撮影モードとからなる複数の撮影モード、絞り優先で撮影を行う撮影モードとシャッタ速度優先で撮影を行う撮影モードとからなる複数の撮影モード、および画角が異なる複数の撮影モードのうちのいずれかの複数の撮影モードを含むものであることが好ましい。
【００１５】
また、本発明のデジタルカメラのうちの第２のデジタルカメラは、撮影レンズを経由して入射する被写体像をレリーズ操作に応じて捉えることにより画像データを生成する撮影を行うデジタルカメラにおいて、
このデジタルカメラは、撮影レンズと、該撮影レンズを経由して入射してきた被写体像を捉える固体撮像素子とのペアを複数ペア備えたものであり、
レリーズ操作を行うための複数のレリーズ釦と、
複数のペアのうちの各ペアを各レリーズ釦に対応づけて設定する設定部と、
レリーズ操作を行われたレリーズ釦に応じたペアで撮影を行う撮影制御部とを備えたことを特徴とする。
【００１６】
本発明の第２のデジタルカメラでは、撮影時には、いずれかのレリーズ釦の操作で、その操作されたレリーズ釦に応じた、撮影レンズと固体撮像素子のペアで撮影を行う。これにより、例えば、遠くの被写体を拡大して写したいときは望遠レンズを備えたペアを選択し、あるいは、高精細な画像を得たいときは画素数の多い固体撮像素子を備えたペアを選択するなど、ユーザは、レリーズ釦で瞬時に最適のペアを選択して撮影することができる。
【００１７】
また、本発明のデジタルカメラのうちの第３のデジタルカメラは、撮影レンズを経由して入射する被写体像をレリーズ操作に応じて捉えることにより画像データを生成する撮影を行うカメラにおいて、
撮影により得られた画像データを保存する複数の保存領域を有する記憶部と、
レリーズ操作を行うための複数のレリーズ釦と、
複数の保存領域のうちの各保存領域を各レリーズ釦に対応づけて設定する設定部と、
レリーズ操作に応じて生成された画像データを、レリーズ操作の行われたレリーズ釦に応じた保存領域に保存するデータ保存制御部とを備えたことを特徴とする。
【００１８】
本発明の第３のデジタルカメラでは、撮影時には、いずれかのレリーズ釦の操作で、その操作されたレリーズ釦に応じた、記憶部の保存領域に保存する。
【００１９】
したがって、例えば、２人の子供が参加している運動会において、それら２人の子供の写真を別々にファイルしておきたい場合に、レリーズ釦と子供とを対応づけておくことにより、それぞれの子供の写真を別々の保存領域に分けて記録することができるなど、異なる被写体や異なるシーンを別々の保存領域に記録しておくことができ、後の画像の整理が容易となる。
【００２０】
また、本発明のデジタルカメラのうちの第４のデジタルカメラは、撮影レンズを経由して入射する被写体像をレリーズ操作に応じて捉えることにより画像データを生成する撮影を行うデジタルカメラにおいて、
撮影により得られた画像データを保存する記録媒体が複数枚装着される記録媒体装着部と、
記録媒体装着部に装着された各記録媒体を各レリーズ釦に対応づけて設定する設定部と、
レリーズ操作応じて生成された画像データを、該レリーズ操作の行われたレリーズ釦に応じた記録媒体に保存するデータ保存制御部とを備えたことを特徴とする。
【００２１】
本発明の第４のデジタルカメラでは、撮影時には、いずれかのレリーズ釦の操作で、その操作されたレリーズ釦に応じた記録媒体に保存する。
【００２２】
これにより、ユーザは、撮影時に、被写体ごとあるいはシーンごとに別々のレリーズ釦を使って撮影することで、被写体やシーンの異なる画像を別々の記録媒体に記録することができ、後の画像整理が容易となる。
【００２３】
【発明の実施の形態】
以下、本発明の実施形態について説明する。
【００２４】
図１は本発明のデジタルカメラの第１の実施形態を示す正面図であって、記録媒体も側方に図示している。図２は図１に示すデジタルカメラの背面図、図３は図１に示すデジタルカメラの平面図、図４は図１に示すデジタルカメラの右側面図である。
【００２５】
図１〜図４に示すデジタルカメラ１０は、図１に示すように、カメラボディ１００の前面に２個の撮影レンズ１１Ａ、１１Ｂが設けられ、図２に示す背面には、ユーザがこのデジタルカメラ１０を使用するときに様々な操作を行うための、操作用のスイッチ群２１が設けられている。
【００２６】
この操作用のスイッチ群２１は、デジタルカメラを作動させるための電源スイッチ１０２、撮影と再生とを自在に切替える撮影・再生切替レバー１０３、実行キー１０６ａ、キャンセルキー１０６ｂ、十字キー１０７および閃光発光部１０４のポップアップスイッチ１０８などから構成される。この十字キー１０７の内側には表示部１０７ａが設けられていて、その表示部１０７ａには、後述する液晶表示部（以下ＬＣＤという）に表示される選択メニューの項目が表示され、その選択メニューの項目が十字キー１０７によって選択できるようになっている。
【００２７】
また、このデジタルカメラ１０は、撮影・再生切替レバー１０３によって撮影と再生との切替が自在になっており、撮影を行うときにはユーザによって撮影・再生切替レバー１０３が撮影側１０３ａに切り替えられ、再生を行うときには撮影・再生切替レバー１０３が再生側１０３ｂに切り替えられる。
【００２８】
図３に示すように、このデジタルカメラ１０は、カメラボディ１００の上方に２個のレリーズ釦１２Ａ，１２Ｂが配備されている。これらのレリーズ釦１２Ａ，１２Ｂのいずれかが全押しされると撮影の開始指示がデジタルカメラ内部の後述する中央制御部へと伝えられる。
【００２９】
また、図２に示すように、このデジタルカメラ１０は、背面に画像およびメニューを表示する２個のＬＣＤ１４Ａ、１４Ｂが設けられている。これらＬＣＤ１４Ａ、１４Ｂのいずれかに表示されているメニューで表示される項目の選択が上記十字キー１０７により行われる。
【００３０】
さらにまた、図４に示すように、このデジタルカメラ１０は、側部にカード状の２枚の記録媒体１７Ａ、１７Ｂ（図１参照）を装着するの記録媒体装着部１６が設けられている。この記録媒体装着部１６には、２つのスロットル１６Ａ，１６Ｂが設けられており、これら２つのスロットル１６Ａ，１６Ｂのそれぞれに各記録媒体１７Ａ、１７Ｂが１枚づつ装着される。
【００３１】
図５は、第１の実施形態のデジタルカメラの内部に設けられている信号処理回路を示すブロック構成図である。
【００３２】
第１の実施形態のデジタルカメラ１０ではすべての処理が中央制御部３０によって制御されるようになっている。
【００３３】
この中央制御部３０の制御のもとに後述する固体撮像素子で得られた画像データの処理が行われる。
【００３４】
中央制御部３０には、中央制御部３０で処理が行われる画像データが記憶された記憶部であるＲＡＭ３３と、中央制御部３０に処理を実行させるためのプログラムが記憶されているＲＯＭ３４とが接続されている。
【００３５】
また、このデジタルカメラ１０は、撮影レンズ１１Ａと、この撮影レンズ１１Ａからの入射光を捉える固体撮像素子（図示の例ではＣＣＤ）２２Ａとで構成される第１のペア２３Ａと、他の撮影レンズ１１Ｂと、この撮影レンズ１１Ｂからの入射光を捉える固体撮像素子（図示の例ではＣ−ＭＯＳ）２２Ｂとで構成される第２のペア２３Ｂとを備えており、これら、固体撮像素子２２Ａ、２２Ｂからの信号は中央制御部３０に入力される。
【００３６】
また、２個のＬＣＤ１４Ａ、１４Ｂは、中央制御部３０に接続された表示制御部１５により制御されるようになっている。これらＬＣＤ１４Ａ、１４Ｂは、後述するモードスイッチで選ばれた方のＬＣＤがこのデジタルカメラを被写体に向けたときのスルー画像や撮影後の画像を表示する役割を担っている。
【００３７】
さらに、記録媒体装着部１６Ａ、１６Ｂに装着された記録媒体１７Ａ，１７Ｂは、中央制御部３０に接続された記録制御部１８により制御されるようになっており、選択された方の記録媒体に撮影画像が記録される。
【００３８】
上記の２つのレリーズ釦１２Ａ，１２Ｂの操作より異なる作動をするレリーズスイッチ２０が操作検出部３１に接続されており、この操作検出部３１を介して中央制御部３０に入力される。
【００３９】
また、この操作検出部３１には、図１に示した各種キーおよびスイッチからなる操作用のスイッチ群２１も接続されており、そのスイッチ群２１を構成する各種キーやスイッチのうちのいずれかのキーあるいはスイッチが操作されると、その操作が操作検出部３１で検出されて中央制御部３０に伝えられる。
【００４０】
さらに、操作検出部３１には、モード切替スイッチ２５も接続されている。このモード切替スイッチ２５は、レリーズ釦１２Ａ，１２Ｂのそれぞれに、第１のペア２３Ａと第２のペア２３Ｂのいずれか、ＬＣＤ１４Ａ、１４Ｂのいずれか、記録媒体装着部１６Ａ、１６Ｂに装着された記録媒体１７Ａ，１７Ｂのいずれかを対応づけるように設定するスイッチである。
【００４１】
撮影を行おうするときには、ユーザは、事前に、モード切替スイッチ２５により、レリーズ釦１２Ａ，１２Ｂのそれぞれに対応する撮影モードを設定する。この撮影モードには、画素数が異なる２つの撮影モード、単写又は連写による２つの撮影モード、絞り優先又はシャッタ速度優先の２つの撮影モード、および画角が異なる２つの撮影モードがあり、モードスイッチ２５により、それら各２つの撮影モードの中からそれぞれいずれかの撮影モードが設定される。
【００４２】
さらに、第１のペア２３Ａと第２のペア２３Ｂのうちのどちらかのペア、ＬＣＤ１４Ａ、１４Ｂのいずれか、および記録媒体１７Ａ，１７Ｂのいずれかも各レリーズ釦１２Ａ，１２Ｂに対応づけてそれぞれ設定される。
【００４３】
図６は、レリーズ釦１２Ａ，１２Ｂのそれぞれに、撮影モード、保存領域、固体撮像素子、および記録媒体を対応させたモード設定例を示す図である。
【００４４】
同図に示すように、第１のレリーズ釦１２Ａを押したときは、撮影レンズ１１ＡとＣＣＤ２２Ａとからなる第１のペア２３Ａで撮影され、そのときの画素はＶＧＡ，画角は普通、撮影は連写、撮影条件は絞り優先で撮影され、撮影された画像データは第１の記録媒体１７Ａに記録される。また、第２のレリーズ釦１２Ｂを押したときは、撮影レンズ１１ＢとＣＭＯＳ２２Ｂとからなる第２のペア２３Ｂで撮影され、そのときの画素は１Ｍ，画角はワイド、撮影は単写、撮影条件はシャッタ速度優先で撮影され、撮影された画像データは第２の記録媒体１７Ｂに記録される。
【００４５】
なお、これらレリーズ釦１２Ａ，１２Ｂに対応する、撮影レンズと固体撮像素子のペア、撮影モード、保存領域、記録媒体等の組み合わせは任意であって、図示の組み合わせは単なる例示である。例えば、双方のレリーズ釦１２Ａ，１２Ｂのいずれにも単写モードを設定するなど、双方のレリーズ釦１２Ａ，１２Ｂに同じ設定を行ってもよい。
【００４６】
図７は、第１実施形態のデジタルカメラによる撮影の処理を示すフローチャートである。
【００４７】
上記のように、ユーザはモード切替スイッチ２５で、あらかじめ、上記撮影モード、そのほかの各モードを設定している。撮影たあたっては、レリーズ釦１２Ａ，１２Ｂのいずれかを押す（ステップＳ１）。これにより、操作入力部３１を介して中央制御部３０に操作信号が送られ、中央制御部３でレリーズ釦１２Ａ，１２Ｂのいずれが押されたかを判定し（ステップＳ２）、その判定結果に基づいて上記モードスイッチ２５で設定されたモードで撮影を行う（ステップＳ３）。
【００４８】
したがって、ここまで説明してきた第１の実施形態のデジタルカメラによれば、撮影を行なうにあたりどちらのレリーズ釦を操作するかにより、あらかじめ設定しておいた異なる撮影条件の中から、今回撮影しようとしている被写体あるいはシーンに相応しい撮影条件を瞬時に選択することができ、シャッタチャンスを逃がさずに済み、かつ、撮影条件の異なる複数枚の画像を記録しておいて後で最適なものを選ぶ従来技術のように画像データを記憶しておく記録媒体のメモリ資産を無駄に使用する必要もない。
【００４９】
また、上記の第１の実施形態のデジタルカメラによれば、被写体やシーン別に異なるレリーズ釦を操作して撮影を行なうことにより、撮影時点で被写体やシーンごとに別々の記録媒体に記録することもでき、画像編集の手間が省かれる。
【００５０】
次に、本発明の第２実施形態のデジタルカメラについて説明する。
【００５１】
図８は、第２の実施形態のデジタルカメラの内部に設けられている信号処理回路を示すブロック構成図、図９は、その第２実施形態のデジタルカメラの側面図である。
【００５２】
図８に示すように、第２実施形態のデジタルカメラは記録媒体を使用しない構成であって、それに代わり、記録制御部１８に接続された不揮発性の記憶部２６が内蔵されている。この不揮発性の記憶部２６は、画像データを保存するための２つの保存領域２６Ａ、２６Ｂを有している。
【００５３】
また、このデジタルカメラは外部の情報処理装置（図示せず）に画像データを送信するための通信制御部２７を備えている。外部の情報処理装置は、この図８とともに図９にも示すコネクタ２７ａに通信ケーブル側のコネクタ（図示せず）が差し込まれることにより、その通信ケーブルを介してこのデジタルカメラに接続される。
【００５４】
この第２の実施形態では、レリーズ釦１２Ａ，１２Ｂに対応して保存領域２６Ａ，３３Ｂのいずれかがそれぞれ選択され、撮影により得られた画像データはその撮影時に選択されたレリーズ釦に応じた保存領域に保存される。その他の構成、作用１０は第１の実施形態と同じであるので、説明を省略する。
【００５５】
この第２の実施形態のデジタルカメラを外部の情報処理装置に接続し、図２に示すスイッチ群２１（ただしここでは、図２を第２実施形態のデジタルカメラの図面として説明している）を操作することにより、２つの保存領域２６Ａ，２６Ｂそれぞれに保存してある画像データを各保存領域ごとに別々に記録制御部で読み出し、通信制御部２７を介して外部の情報処理装置に送信することができる。
したがって、情報処理装置には、被写体やシーンにより分けられた画像データごとに受信でき、情報処理装置を操作して画像データを被写体やシーン別に分けるという編集の手間が省かれる。
【００５６】
なお、上記第１および第２の実施形態ではレリーズ釦が２つの構成の例を説明したが、本発明のデジタルカメラは、任意の複数個のレリーズ釦を設け、それに応じて撮影モード、固体撮像素子、記録媒体、保存領域等の組み合わせも任意に設定するものであってもよい。
【００５７】
また、上記第１および第２の実施形態では、複数の撮影モードを有し、撮影レンズおよび固体撮像素子のペアを複数備え、かつ記録媒体（あるいは保存領域）も複数存在するデジタルカメラについて説明したが、本発明のデジタルカメラは、撮影レンズおよび固体撮像素子のペアは１組のみであり、かつ記録媒体（あるいは保存領域）も１つのみであって、複数のレリーズ釦それぞれに撮影モードを設定するものであってもよく、あるいは、複数のレリーズ釦について撮影モードは同一であって、撮影レンズと固体撮像素子とのペアを複数備え、複数のレリーズ釦それぞれに各ペアを設定するものであってもよく、さらには、複数のレリーズ釦について撮影モードは同一、撮影レンズと固体撮像素子のペアも１組しかなく、記録媒体（あるいは保存領域）が複数であって、複数のレリーズ釦それぞれに各記憶媒体（あるいは各保存領域）を設定するものであってもよく、あるいは、それら複数の態様の任意の組み合わせであってもよい。
【００５８】
【発明の効果】
本発明によれば、レリーズ釦の操作で種々の条件に瞬時に対応でき、かつ、必要な画像のみメモリに取り込むことで無駄なメモリ消費が防止できる。
【図面の簡単な説明】
【図１】本発明のデジタルカメラの第１実施形態を示す正面図である。
【図２】図１に示すデジタルカメラの背面図である。
【図３】図１に示すデジタルカメラの平面図である。
【図４】図１に示すデジタルカメラの右側面図である。
【図５】第１実施形態のデジタルカメラの内部に設けられている信号処理回路を示すブロック構成図である。
【図６】レリーズ釦に、撮影モード、固体撮像素子、記録媒体を対応させた設定例を示す図である。
【図７】第１実施形態のデジタルカメラによる撮影の処理を示すフローチャートである。
【図８】第２実施形態のデジタルカメラの内部に設けられている信号処理回路を示すブロック構成図である。
【図９】第２実施形態のデジタルカメラの側面図である。
【符号の説明】
１０    デジタルカメラ
１０Ａ，１０Ｂ    撮影レンズ
１２Ａ、１２Ｂ    レリーズ釦
１４Ａ，１４Ｂ    ＬＣＤ
１５    表示制御部
１６  記録媒体装着部
１７Ａ，１７Ｂ    記録媒体
１８    記録制御部
２２Ａ    ＣＣＤ
２２Ｂ    Ｃ−ＭＯＳ
２３Ａ    第１のペア
２３Ｂ    第２のペア
２６    記憶部
２６Ａ、２６Ｂ    保存領域
３０    中央制御部
【図１】
2004363935.tif 000003
【図２】
2004363935.tif 000004
【図３】
2004363935.tif 000005
【図４】
2004363935.tif 000006
【図５】
2004363935.tif 000007
【図６】
2004363935.tif 000008
【図７】
2004363935.tif 000009
【図８】
2004363935.tif 000010
【図９】
2004363935.tif 000011